(57)【要約】【課題】撮像装置に対し高い互換性を維持しつつ、再生操作を行うことができる光学装置を提供すること。【解決手段】上記目的を達成するために、本発明は、ズーム、フォーカス、絞りのいずれかである光学素子と、前記光学素子を操作するための第１の操作手段と、カメラ装置と通信を行うカメラ通信手段を有する光学装置であって、前記カメラ装置が撮影状態か非撮影状態かを判断するカメラ動作モード判断手段と、前記操作手段に対応した再生情報変換方法を記憶した記憶手段を有し、前記カメラ動作モード判断手段による前記カメラ装置が非撮影状態であると判断した場合には、前記再生情報変換方法をもとに前記操作手段からの操作を再生情報に変換し、前記カメラ通信手段により前記カメラ装置に送信することを特徴とする構成とした。【選択図】図２
2013162428.tif 000002
【特許請求の範囲】
【請求項１】
ズーム、フォーカス、絞りのいずれかである光学素子と、前記光学素子を操作するための第１の操作手段と、カメラ装置と通信を行うカメラ通信手段を有する光学装置であって、前記カメラ装置が撮影状態か非撮影状態かを判断するカメラ動作モード判断手段と、前記操作手段に対応した再生情報変換方法を記憶した記憶手段を有し、前記カメラ動作モード判断手段による前記カメラ装置が非撮影状態であると判断した場合には、前記再生情報変換方法をもとに前記操作手段からの操作を再生情報に変換し、前記カメラ通信手段により前記カメラ装置に送信することを特徴とする光学装置。
【請求項２】
前記再生情報は、再生する映像のフレーム位置、再生速度、再生方向のうち少なくとも１つを含むことを特徴とする請求項１に記載の光学装置。
【請求項３】
ズームと、前記ズームの速度を操作するズームシーソ操作部材を有し、前記記憶手段には、ズームシーソ操作手段の押し込み方向は再生方向に変換され、押し込み量は送りスピードに変換することを記憶していることを特徴とする請求項１又は請求項２に記載の光学装置。
【請求項４】
フォーカスと、前記フォーカスの位置を操作するフォーカスリング操作部材を有し、前記記憶手段には、フォーカスリングの回転位置を再生する映像のフレーム位置に変換することを記憶していることを特徴とする請求項１又は請求項２に記載の光学装置。
【請求項５】
前記光学素子を操作する第２の操作手段を持つ外部装置と接続可能であり、第２の操作手段の種類に応じて、第２の操作手段に対応した再生情報変換方法を切り替えるための切り替え手段を有したことを特徴とする請求項１乃至請求項４の何れか一項に記載の光学装置。
【請求項６】
前記光学素子を操作する第２の操作手段を持つ外部装置と接続可能であり、接続された外部装置の組み合わせに応じて、第１の操作手段、及び第２の操作手段に対応した再生情報変換方法を切り替えるための切り替え手段を有したことを特徴とする請求項１乃至請求項４の何れか一項に記載の光学装置。
【請求項７】
スイッチ操作部材を有し、前記カメラ装置が撮影状態で、かつ前記スイッチ操作部材が押下された場合、押下された時点から所定時間前に撮影された映像を再生するように、再生情報をカメラ装置に送信することを特徴とする請求項１乃至請求項４の何れか一項に記載の光学装置。
【発明の詳細な説明】
【技術分野】
【０００１】
本発明は、光学装置に関し、特に撮像装置に着脱される光学装置に関するものである。
【背景技術】
【０００２】
近年、動画を撮影する撮像装置に使用される記録媒体は、磁気テープに代わり、ランダムアクセス可能な半導体メモリやハードディスクなどが主流となってきている。このような記録媒体の変化により、時間を要する巻き戻し、早送り作業が必要なくなり、映像を再生していても、再生映像に上書きされることなく、すぐに撮影が開始することが可能になった。このように記録媒体の変化によって、再生状態から撮影状態にすぐに切り替えられるようになったため、ユーザからは、撮影している姿勢で再生操作を行いたい、という要望が多くなってきている。
【０００３】
しかし、放送用撮像システムでは、撮影中に撮像装置であるカメラ装置に直接操作することはなく、ズームやフォーカスを操作するレンズ装置の操作部材を操作している場合が多い。そのため、レンズ装置のズーミング、フォーカシングを行う場合にはレンズ装置の操作部材を操作し、再生操作を行う場合にはカメラ装置の操作部材を操作する必要があり、ユーザは撮影操作と再生操作で、大きく姿勢を変えなければならなかった。
【０００４】
この問題を解決するため、ズームリングやフォーカスリングなどの撮像操作部材を用いて、早送りや巻き戻しなどの再生操作を行えるようにする、といった方法が提案されている。（特許文献１、２）
【先行技術文献】
【特許文献】
【０００５】
【特許文献１】特開２００５−１５１３４９号公報
【特許文献２】特開２００６−２３７８４４号公報
【発明の概要】
【発明が解決しようとする課題】
【０００６】
しかしながら、上述の特許文献に開示された従来技術は、撮像操作部材と映像再生を制御する再生制御部は同一の装置内にあり、撮像操作部材と再生制御部が別の装置となる着脱可能レンズカメラシステムについては考慮されていない。
【０００７】
着脱可能レンズカメラシステムでは、様々なレンズ装置とカメラ装置の組み合わせが可能であるため、接続されるカメラによって、再生操作性が異なったり、十分な再生操作性が得られなかったり、といった課題が新たに生じる可能性がある。
【０００８】
そこで、本発明の目的は、撮像装置に着脱可能な光学装置であって、撮像装置に対し高い互換性を維持しつつ、再生操作を行うことができる光学装置を提供することである。
【課題を解決するための手段】
【０００９】
上記目的を達成するために、本発明は、ズーム、フォーカス、絞りのいずれかである光学素子と、前記光学素子を操作するための第１の操作手段と、カメラ装置と通信を行うカメラ通信手段を有する光学装置であって、前記カメラ装置が撮影状態か非撮影状態かを判断するカメラ動作モード判断手段と、前記操作手段に対応した再生情報変換方法を記憶した記憶手段を有し、前記カメラ動作モード判断手段による前記カメラ装置が非撮影状態であると判断した場合には、前記再生情報変換方法をもとに前記操作手段からの操作を再生情報に変換し、前記カメラ通信手段により前記カメラ装置に送信することを特徴とする。
【発明の効果】
【００１０】
本発明によれば、撮像装置に対し高い互換性を維持しつつ、再生操作を行うことができる光学装置を提供することができる。
【図面の簡単な説明】
【００１１】
【図１】実施例１、３のレンズカメラシステムの構成図。
【図２】実施例１におけるレンズＣＰＵ２６のソフトウェア処理を示すフローチャート。
【図３】ズームレンズ装置１とカメラ装置２の通信データを示す表。
【図４】実施例１におけるレンズ駆動処理を示すフローチャート。
【図５】実施例１における再生情報生成処理を示すフローチャート。
【図６】実施例１における各操作部材に対応する再生操作設定を示す表。
【図７】プッシュスイッチ再生情報生成処理を示すフローチャート。
【図８】ズームシーソ再生情報生成処理１を示すフローチャート。
【図９】再生速度算出方法を示すグラフ。
【図１０】ズームリング再生情報生成処理を示すフローチャート。
【図１１】フォーカスリング再生情報生成処理を示すフローチャート。
【図１２】再生位置算出方法を示すグラフ。
【図１３】実施例１における再生操作設定変更処理を示すフローチャート。
【図１４】ズームシーソ再生情報生成処理２を示すフローチャート。
【図１５】カメラＣＰＵ４７のソフトウェア処理を示すフローチャート。
【図１６】実施例２のレンズカメラシステムの構成図。
【図１７】実施例２におけるレンズＣＰＵ２６のソフトウェア処理を示すフローチャート。
【図１８】実施例２におけるレンズ駆動処理を示すフローチャート。
【図１９】実施例２における再生情報生成処理を示すフローチャート。
【図２０】実施例２における各操作部材に対応する再生操作設定を示す表。
【図２１】ズームレバー再生情報生成処理を示すフローチャート。
【図２２】フォーカスノブ再生情報生成処理を示すフローチャート。
【図２３】再生位置加算時間算出方法を示すグラフ。
【図２４】実施例２における再生操作設定変更処理を示すフローチャート。
【図２５】実施例３におけるレンズＣＰＵ２６のソフトウェア処理を示すフローチャート。
【図２６】リプレイ再生情報生成処理を示すフローチャート。
【発明を実施するための形態】
【００１２】
以下に、本発明の実施の形態を添付の図面に基づいて詳細に説明する。
【００１３】
［実施例１］
図１は、本発明を適用できる実施例１のレンズカメラシステムの構成を示したものである。
【００１４】
初めに、ズームレンズ装置１について説明する。フォーカスレンズ群１１は、光軸方向に移動することで、ズームレンズ装置１の結像位置を変位させるための光学素子である。フォーカスリング１３はフォーカスレンズ群１１を移動させるための操作部材であり、回転操作することでフォーカスレンズ群１１を光軸方向に移動することができる。フォーカスリング１３の位置は位置検出器２２によってフォーカスリング位置信号に変換され、レンズＣＰＵ２６に出力される。本実施例では、フォーカスリング１３は回転範囲を機構的に制限されているものとする。
【００１５】
ズームレンズ群１２は、光軸方向に移動することで、ズームレンズ装置１の焦点距離を可変させるための光学素子である。ズームリング１４はズームレンズ群１２を移動させるための操作部材であり、回転操作することでズームレンズ群１２を光軸方向に移動することができる。ズームリング１４の位置は位置検出器２３によってズームリング位置信号に変換され、レンズＣＰＵ２６に出力される。本実施例では、ズームリング１４はフォーカスリング１３と同様に回転範囲を機構的に制限されているものとする。
【００１６】
ズームシーソ１５はズームレンズ群１をサーボ操作するための操作部材であり、ズームシーソ１５の操作位置は位置検出器２４によってズームシーソ位置信号に変換され、レンズＣＰＵ２６に出力される。レンズＣＰＵ２６では、ズームシーソ位置信号からズーム制御信号に変換し、ズーム駆動回路２５、ズームモータ２１を介してズームレンズ群１２を駆動する。
【００１７】
ズームレンズ群１２をズームリング１４で移動させるか、ズームシーソ１５によるサーボ操作で移動させるかは、後述するズームサーボ切替スイッチ２０により切り替える。
プッシュスイッチ１６はカメラ装置が撮影している映像を記録するか否かを切り替えるためのスイッチ（ＶＴＲスイッチ）である。
【００１８】
プッシュスイッチ１７はカメラ動作モードを切り替えるためのスイッチであり、カメラ動作モードには、カメラ装置が撮影中の映像を表示する「撮影モード」と、記録した映像を再生表示する「再生モード」の２つのモードがある。
【００１９】
プッシュスイッチ１８は、最高速で、あらかじめ設定されてあるズーム位置にズームレンズ群１２が移動するようにする操作部材である。
【００２０】
プッシュスイッチ１９は、あらかじめ設定されている速度で、あらかじめ設定されてあるズーム位置にズームレンズ群１２が移動するようにする操作部材である。
【００２１】
ズームサーボ切替スイッチ２０は、ズームレンズ群１２とズームモータ２１をつなぐ不図示のクラッチを移動させるものであり、ズームレンズ群１２をサーボ操作可能とするか、マニュアル操作可能するかを切り替えるスイッチである。
【００２２】
プッシュスイッチ１６〜１９、及び、ズームサーボ切替スイッチ２０の状態は電気信号に変換され、レンズＣＰＵ２６に出力される。
【００２３】
レンズ通信回路２７は、カメラ装置２を含む外部装置と通信するための回路である。
【００２４】
ＥＥＰＲＯＭ２８は、フォーカスリング１３やズームシーソ１５といった操作部材と、その操作部材の操作に伴う再生操作を関連付けた情報を記憶するためのものである。
【００２５】
設定操作ボタン２９は、ＥＥＰＲＯＭ２８で記憶している情報をユーザによって変更するかどうかを切り替えるボタンであり、ディスプレイ３０は、変更時に変更内容を表示する表示部である。
【００２６】
次に、カメラ装置２について説明する。撮像素子４１は、ズームレンズ装置１によって結像された像を電気信号に変換する素子であり、変換された電気信号は映像データ変換部４３に出力される。映像データ変換部４３では、撮像素子４１から入力した電気信号を映像データに変換し、映像記録部４４や映像再生部４５に出力される。
【００２７】
映像記録部４４は、カメラＣＰＵ４７の指示に従い、映像データ変換部４３から入力した映像データを記録するものである。映像再生部４５は、カメラＣＰＵ４７からの再生指示に従い、映像データ変換部４３、または映像記録部４４から映像データを入力し、ビューファインダー４２に出力する。ビューファインダー４２は、映像再生部４５からの映像データを入力し、映像を表示する。
【００２８】
カメラ通信回路４６は、ズームレンズ装置１と通信するための回路である。
【００２９】
レンズＣＰＵ２６におけるソフトウェア処理について説明する。図２はレンズＣＰＵソフトウェア処理を示すフローチャートである。はじめに、Ｓ１０１で設定操作ボタン２９が押下されているか判断し、押下されていなければ、Ｓ１０２に進む。Ｓ１０２でカメラ装置２からの通信データを受信するための受信処理を行う。カメラ装置２から受信する通信データは図３に示すように、カメラ動作モード、再生位置、再生映像記録時間である。再生位置は、現在再生しているフレーム位置を示すデータであり、本実施例では、記録した映像の最初のフレームからの時間（秒）であらわされた数値とする。再生映像記録時間とは、現在再生している映像が何秒分の映像であるかを示すデータである。Ｓ１０３では、Ｓ１０２でカメラ装置２から通信で取得したカメラ動作モードを用いて判断し、カメラ動作モードが「撮影モード」の場合にはＳ１０４へ進み、レンズ駆動処理を行い、「再生モード」の場合にはＳ１０５へ進み、再生情報生成処理を行う。Ｓ１０６では、プッシュスイッチ１６の押下状態を取得し、押下されていればＶＴＲスイッチ状態をＯＮとし、押下されていなければＯＦＦとする。Ｓ１０７では、カメラ装置２へ通信データを送信するための送信処理を行う。カメラ装置２へ送信するデータは図３に示すように、カメラ動作モード指令、再生速度指令、再生位置指令、デジタルズーム倍率指令、ＶＴＲスイッチ状態である。Ｓ１０７の処理が終わると、再びＳ１０１に戻り、同様の処理を繰り返す。一方、Ｓ１０１で設定操作ボタンが押下されている場合には、Ｓ１０８に進み、ＥＥＰＲＯＭ２８に書き込まれている情報を変更するための再生操作設定変更処理を行う。
【００３０】
Ｓ１０３で行うレンズ駆動処理について説明する。図４はレンズ駆動処理を示すフローチャートである。
【００３１】
Ｓ２０１では、ズームサーボ切替スイッチ２０の状態で判断を行い、サーボの場合には、Ｓ２０２に進み、マニュアルの場合には、Ｓ２０９に進む。Ｓ２０２では、ズームシーソ１５の位置を取得し、Ｓ２０３でズームシーソ位置からズーム駆動速度を算出する。そして、Ｓ２０４でズーム速度制御信号をズーム駆動回路２５に出力する。
【００３２】
Ｓ２０５では、プッシュスイッチ１８が押下されたか判断し、押下されたと判断された場合、Ｓ２０６に進み、ズームレンズ群１２があらかじめ設定されたズーム位置に移動するように、ズーム駆動回路２５に制御信号を出力する。
【００３３】
Ｓ２０７では、プッシュスイッチ１９が押下されたか判断し、押下されたと判断された場合、Ｓ２０８に進み、ズームレンズ群１２があらかじめ設定されたズーム速度で、設定されたズーム位置に移動するように、ズーム駆動回路２１に制御信号を出力する。
【００３４】
Ｓ２０９では、プッシュスイッチ１７が長押しされたかどうかを判断し、長押しされたと判断した場合、Ｓ２１０に進み、カメラ動作モード指令を「再生モード」に設定する。Ｓ２１１では、「再生モード」で行われる処理に必要なデータを初期化しておく。具体的には、一時停止フラグをＯＦＦに、デジタルズーム倍率指令を１倍にする。一方、Ｓ２０９でプッシュスイッチ１７が長押しされていないと判断した場合には、Ｓ２１２に進み、カメラ動作モード指令を「更新無効」に相当するデータにする。
【００３５】
続いて、Ｓ１０４で行う再生情報生成処理について説明する。図５は再生情報生成処理を示すフローチャートである。なお、本実施例では、ＥＥＰＲＯＭ２８に記憶された操作部材ごとの対応する再生操作は、図６に示すように設定されているものとする。ズームシーソ１５は、１倍速再生、早送り、巻き戻しといった再生速度を操作する操作部材として動作するように設定されている。フォーカスリング１３は、再生する映像をどの再生位置とするか直接操作するための操作部材として動作するように設定されている。ズームリング１３は再生映像のデジタルズーム倍率を操作するための操作部材として動作するように設定されている。プッシュスイッチ１７は、カメラ動作モードを切り替えるための操作部材であり、長押しすることでカメラ動作モードを他方へ切り替える。プッシュスイッチ１８は、再生映像の一時停止設定／解除を操作するための操作部材として動作し、プッシュスイッチ１９は現在の再生位置から１０秒巻き戻しするための操作部材として動作するように設定されている。
【００３６】
はじめに、Ｓ３０１でカメラ装置２に送信する再生位置指令を「更新無効」に相当するデータにしておく。続いて、Ｓ３０２〜Ｓ３０５では、操作部材ごとに後述する処理を行い、再生速度指令、再生位置指令、デジタルズーム倍率指令を決定する。Ｓ３０６では、プッシュスイッチ１７が長押しされたかどうかを判断し、長押しされたと判断された場合には、Ｓ３０７に進み、カメラ動作モード指令を「撮影モード」に切り替える。一方、Ｓ３０６でプッシュスイッチ１７が長押しされていないと判断された場合、Ｓ３０８に進み、カメラ動作モード指令を「更新無効」に相当するデータにしておく。
【００３７】
Ｓ３０２のプッシュスイッチ再生情報生成処理について説明する。図７はプッシュスイッチ再生情報生成処理を示すフローチャートである。Ｓ４０１ではプッシュスイッチ１８が押下されているか判断し、押下されていると判断された場合にはＳ４０２に進み、一時停止フラグをＯＦＦ→ＯＮ、またはＯＮ→ＯＦＦに切り替える。一時停止フラグは、後述するズームシーソ再生情報生成処理１で使用する。Ｓ４０３では、プッシュスイッチ１９が押下されたか判断し、押下されたと判断された場合には、Ｓ１０２にてカメラ装置から受信した再生位置を用いて、再生位置から１０秒引いた値を再生位置指令として設定する。
【００３８】
Ｓ３０３のズームシーソ再生情報生成処理１について説明する。図８はズームシーソ再生情報生成処理１を示すフローチャートである。はじめに、Ｓ５０１では、位置検出器２４を介して、ズームシーソ位置を取得する。次に、Ｓ５０２で、Ｓ４０２で切り替えられる一時停止フラグがＯＮであるか、ＯＦＦであるか判断し、再生速度指令算出方法をＳ５０３、またはＳ５０４に分ける。Ｓ５０３，Ｓ５０４では、図９に示すように、ズームシーソ位置を用いて、再生速度指令が算出される。Ｓ５０３の再生速度指令算出１では、ズームシーソが無操作の位置の場合、再生速度指令を０とし、その位置からの操作方向で再生方向を指定し、操作量に比例して再生の速さを指定する。Ｓ５０４の再生速度指令算出２では、ズームシーソが無操作の位置の場合、再生速度指令を１倍速とし、それ以外は操作方向で再生方向を指定し、操作量に比例して再生速度の絶対値を指定する。ただし、図９に示すように、同じズームシーソの位置でも、再生速度指令算出２の方が、再生速度の絶対値が大きくなるようにする。
【００３９】
Ｓ３０４のズームリング再生情報生成処理について説明する。図１０はズームリング再生情報生成処理を示すフローチャートである。Ｓ６０１で、位置検出器２３を介して、ズームリング位置を取得する。次にＳ６０２で、ズームリングがどの方向にどれだけ操作されているかを判断する。Ｓ６０２でズームリングがＷｉｄｅ方向に一定量操作されたと判断した場合には、Ｓ６０３に進み、現在のデジタルズーム倍率指令から０．１倍引いた値を、新たにデジタルズーム倍率指令として設定する。ただし、現在のデジタルズーム倍率指令が１倍の場合は、そのままデジタルズーム倍率指令は更新しない。一方、Ｓ６０２でズームリングがＴｅｌｅ方向に一定量操作されたと判断した場合には、Ｓ６０４に進み、現在のデジタルズーム倍率指令から０．１倍加えた値を、新たにデジタルズーム倍率指令として設定する。Ｓ６０２で、一定量の操作がされていないと判断した場合には、デジタルズーム倍率指令を更新せずに、ズームリング再生情報生成処理を終了する。
【００４０】
Ｓ３０５のフォーカスリング再生情報生成処理について説明する。図１１はフォーカスリング再生情報生成処理を示すフローチャートである。Ｓ７０１で、位置検出器２２を介して、フォーカスリング位置を取得する。次に、Ｓ７０２でフォーカスリングが操作されたか否かを判断し、操作されていると判断した場合には、Ｓ７０３に進み、Ｓ１０２でカメラ装置２から受信した再生映像記録時間を取得する。さらにＳ７０４に進み、図１２に示すようにフォーカスリング位置と再生映像記録時間から再生位置指令を算出し、設定する。フォーカスリング位置が至近端の時に再生位置指令を０とし、無限端の時に再生位置指令を最大値となる再生映像記録時間になるようにし、残りはフォーカスリング位置に比例するように再生位置指令値を決定する。一方、Ｓ７０２でフォーカスリングが操作されていないと判断した場合には、フォーカスリング再生情報生成処理を終了する。
【００４１】
次に、Ｓ１０８の再生操作設定変更処理について説明する。図１３は再生操作設定変更処理を示すフローチャートである。Ｓ８０１では、位置検出器２４からの信号を用いて、ズームシーソが操作されているかどうかを判断する。操作されている場合には、Ｓ８０２に進み、ズームシーソ操作に対応する再生操作の設定を変更し、ＥＥＰＲＯＭ２８への書き込み、及びディスプレイ３０に変更内容の表示を行う。Ｓ８０３〜Ｓ８１０も同様に、各操作部材に対し、操作部材が操作されたかどうかを判断し、ＥＥＰＲＯＭ２８に書き込まれた再生操作設定を変更するとともに、変更内容をディスプレイ３０に表示する。再生操作設定変更は、各操作部材が設定可能となる再生操作設定のみ変更可能であり、設定可能となる再生操作設定はレンズＣＰＵ２６が記憶している。
【００４２】
このように設定変更を可能とすることで、例えば、カメラ動作モードが「再生モード」時に、ズームシーソをデジタルズーム倍率操作する操作部材として動作させることができる。その場合には、Ｓ３０３で行っている図８のフローチャートで示されるズームシーソ再生情報生成処理１を、図１４のフローチャートで示されるズームシーソ再生情報生成処理２に置き換えて処理を行う。
【００４３】
ズームレンズ装置１は上記のように、カメラ動作モード指令、再生速度指令、再生位置指令、デジタルズーム倍率指令を生成し、カメラ装置へ送信する。
【００４４】
続いて、カメラＣＰＵ４７におけるソフトウェア処理について説明する。図１５はカメラＣＰＵ処理を示すフローチャートである。Ｓ９０１では、ズームレンズ装置１から送信されたカメラ動作モード指令、再生速度指令、再生位置指令、デジタルズーム倍率指令、ＶＴＲスイッチ状態を受信する。Ｓ９０２〜Ｓ９０４では、Ｓ９０１で取得したカメラ動作モード指令を用いて、カメラ動作モード指令が「更新無効」でなければ、カメラ動作モード指令に従って、カメラ動作モードを切り替える。
【００４５】
Ｓ９０５で、カメラ動作モードが「撮影モード」である場合には、Ｓ９０６に進み、映像再生部４５に対し、映像データ変換部４３からの映像データをビューファインダー４２に表示するように指示する。一方、Ｓ９０５で、カメラ動作モードが「再生モード」である場合には、Ｓ９０７に進み、映像再生部４５に対し、映像記録部４４からの映像データをビューファインダー４２に表示するように指示する。さらに、Ｓ９０８では、Ｓ９０１でズームレンズ装置１から受信した再生速度指令とデジタルズーム倍率指令を用いて、映像再生部４５に対し、再生速度指示とデジタルズーム倍率指示を行う。Ｓ９０９では、Ｓ９０１で受信した再生位置指令が「更新無効」であるかどうかを判断し、「更新無効」でない場合には再生位置指令を用いて、映像再生部４５に対し再生位置を指示し、Ｓ９１１に進む。
【００４６】
続いて、Ｓ９１１でＶＴＲスイッチ状態が押下されたか判断し、押下されていればＳ９１２に進み、現在映像記録中であるか判断し、映像記録中である場合には、映像記録部４４に対し、記録を停止するように指示する。Ｓ９１２で映像記録中でない場合には、映像記録部４４に対し、記録を開始するように指示し、さらにＳ９１５でカメラ動作モードを「撮影モード」に強制的に切り替える。Ｓ９１１でＶＴＲスイッチが押されていないと判断した場合は、直接Ｓ９１６に進む。
【００４７】
Ｓ９１６では、映像再生部４５から現在再生中の映像の再生位置と、再生映像記録時間を取得する。再生中でない場合には、再生位置、再生映像記録時間ともに、最近記録または再生された映像の記録時間に設定する。そして、Ｓ９１７で、ズームレンズ装置１にカメラ動作モード、再生位置、再生映像記録時間を送信し、再びＳ９０１に戻り、処理を繰り返す。
【００４８】
上記のように、ズームレンズ装置１とカメラ装置２が処理することによって、ズームレンズ装置１にある操作部材を用いて、再生操作できるようなる。そのため、ユーザは撮影している状態で、簡単な操作で記録した映像を再生し、見ることができるようになる。また、本実施例のように、再生位置、再生速度といった再生情報をレンズ装置で生成することで、再生操作性は、操作部材を持つレンズ装置に依存し、カメラ装置には依存しなくなる。その結果、レンズ装置からの再生情報をもとに再生機能を動作することができるカメラ装置であれば、どのようなカメラ装置であっても同一の再生操作性が得られ、ユーザの利便性は大きく向上する。
【００４９】
なお本実施例では、再生操作を行う操作部材として、ズームやフォーカスを操作する操作部材を用いたが、絞りや像ぶれ補正レンズ群を操作するための操作部材などを用いてもよい。
【００５０】
［実施例２］
図１６は、本発明を適用できる実施例２のレンズカメラシステムの構成を示したものである。本実施例は、ズームレンズ装置１に外部装置であるズームデマンド３、フォーカスデマンド４が接続される構成とする。
【００５１】
実施例１と同じ構成のものについては説明を省略する。
【００５２】
はじめに、ズームレンズ装置１について説明する。フォーカス駆動回路３３は、レンズＣＰＵ２６からのフォーカス制御信号に応じて、フォーカス駆動信号を生成する回路であり、モータ３２を介して、フォーカスレンズ群１１を光軸方向に移動させる。
【００５３】
フォーカスサーボ切替スイッチ３１は、フォーカスレンズ群１１とフォーカスモータ３２をつなぐ不図示のクラッチを移動させるものであり、フォーカスレンズ群１１をサーボ操作可能とするか、マニュアル操作可能するかを切り替えるスイッチである。
【００５４】
カメラ装置２については、すべて実施例１と構成が同じであるため、説明は省略する。
【００５５】
ズームデマンド３について説明する。ズームレバー５１はズーム速度を操作するための操作部材であり、ズームシーソ１５と同様に無操作時には、中央位置に戻る構造となっている。ズームレバー５１の操作位置は、位置検出器５６によって電気信号に変換され、デマンド通信回路５７に出力される。プッシュスイッチ５２〜５５はそれぞれプッシュスイッチ１６〜１９と同様のレンズ操作を行うためのスイッチであり、これらのスイッチの状態はデマンド通信回路５７に出力される。デマンド通信回路５７では、ズームレバー５１の位置信号、およびプッシュスイッチ５２〜５５の状態を通信データに変換し、レンズ通信回路２７へ送信する。またデマンド通信回路５７は、デマンド識別データとして、ズームデマンドを示すデータもレンズ通信回路２７へ送信する。
【００５６】
フォーカスデマンド４について説明する。フォーカスノブ６１は、フォーカス位置を操作するための操作部材であり、フォーカスノブ６１の回転位置は位置検出器６２によって電気信号に変換され、デマンド通信回路６３に出力される。デマンド通信回路６３は、フォーカスノブ６１の位置信号と、フォーカスデマンドを示すデマンド識別データをレンズ通信回路２７へ送信する。このとき、フォーカスデマンドが回転範囲が機構的に制限されている端ありフォーカスデマンドか、回転範囲が機構的に制限されていない端なしデマンドであるかによって、デマンド識別データを異なるようにしておく。
【００５７】
次に、本実施例におけるレンズＣＰＵ２６のソフトウェア処理について説明する。図１７は本実施例におけるレンズＣＰＵ処理を示すフローチャートである。Ｓ１０１〜Ｓ１０８は実施例１と同様だが、はじめにＳ１１１の処理を行い、ズームデマンド３やフォーカスデマンド４から各操作部材の操作状態、及び接続されたデマンドがどのようなデマンドであるかを示す識別データを受信する。
【００５８】
本実施例におけるＳ１０４のレンズ駆動処理について説明する。図１８は本実施例におけるレンズ駆動処理を示すフローチャートである。
【００５９】
Ｓ２０１でズームサーボ切替スイッチがサーボであった場合には、Ｓ２２１に進み、Ｓ１１１で取得したデマンド識別データから、ズームデマンドが接続されているかを判断する。デマンドが接続されていると判断した場合には、Ｓ２２２及びＳ２２３と進み、ズームレバーの位置からズーム駆動速度を算出し、Ｓ２０４でズーム速度制御信号を出力する。また、Ｓ２２４、Ｓ２２５では、ズームレンズ装置１にあるプッシュスイッチだけでなく、ズームデマンド３にあるプッシュスイッチも用いて、Ｓ２０６やＳ２０８の処理を行うかどうかを判断する。
【００６０】
Ｓ２２６、Ｓ２２７では、フォーカスサーボ切替スイッチがサーボになって、かつフォーカスデマンドが接続されているかを判断し、両条件を満たせば、Ｓ２２８〜Ｓ２３０の処理を行い、フォーカスノブ位置を用いて、フォーカス制御信号を出力する。
【００６１】
Ｓ２３１では、Ｓ２２４と同様にズームデマンド３にあるプッシュスイッチも用いて判断を行う。
【００６２】
本実施例におけるＳ１０５の再生情報生成処理について説明する。図１９は本実施例における再生情報生成処理を示すフローチャートである。Ｓ３０１で、再生位置指令を「更新無効」に相当するデータに初期化した後、Ｓ３１１に進む。Ｓ３１１では、Ｓ１０１で取得したデマンド識別データからどのデマンドが接続されているかを判断し、接続の組み合わせに応じて各操作部材における再生情報生成する処理を変えるようにする。なお、本実施例では、図２０に示すようにデマンドの接続の組み合わせごとに、各操作部材の再生操作設定をＥＥＰＲＯＭ２８に記憶する。
【００６３】
Ｓ３１１でデマンドが接続されていないと判断した場合は、実施例１と同様に、Ｓ３０２〜Ｓ３０５の処理を行い、各操作部材の再生情報生成処理を行う。
【００６４】
Ｓ３１１でズームデマンドのみ接続された場合には、Ｓ３１２〜Ｓ３１５の処理を行い、デマンドが接続されていない場合に対し、ズームシーソによる再生情報生成処理を変え、ズームデマンドにある操作部材を使用して再生情報を生成するように処理をする。
【００６５】
Ｓ３１１でフォーカスデマンドのみ接続された場合には、Ｓ３１６〜Ｓ３１９の処理を行い、デマンドが接続されていない場合に対し、フォーカスリングでの再生情報処理を行わずに、フォーカスノブで再生情報を生成するように処理をする。
【００６６】
Ｓ３１１でズームデマンドとフォーカスデマンドの両方が接続されている場合、Ｓ３２０〜Ｓ３２２の処理を行い、それぞれのデマンドの操作部材を使用して再生情報を生成するように処理をする。
【００６７】
次に、Ｓ３１５やＳ３２１のズームレバー再生情報生成処理について説明する。図２１はズームレバー再生情報生成処理を示すフローチャートである。ズームレバー再生情報制処理は、ほぼズームシーソ再生情報生成処理１と同様であり、ズームデマンドから取得したズームレバー位置をもとに、再生速度指令を生成する。
【００６８】
続いて、Ｓ３１９やＳ３２２のフォーカスノブ再生情報生成処理について説明する。図２２はフォーカスノブ再生情報生成処理を示すフローチャートである。Ｓ１００１で、フォーカスデマンド４から受信したフォーカスノブ位置を取得する。次に、Ｓ１００２でフォーカスノブが操作されているかどうかを判断する。操作されていると判断すると、Ｓ１００３に進み、受信したデマンド識別データからフォーカスデマンド４が端ありであるかを判断し、端ありである場合には、Ｓ１００４、Ｓ１００５に進む。Ｓ１００４、Ｓ１００５では、フォーカスリング再生情報生成処理のＳ７０３、Ｓ７０４と同様の処理を行い、フォーカスノブ位置と再生映像記録時間から再生位置指令値を算出する。一方、Ｓ１００３で端なしデマンドである場合には、Ｓ１００６に進み、フォーカスノブ位置が前回の位置からどれだけ変化しているかを示すフォーカスノブ位置差を算出する。そして、Ｓ１００７では、フォーカスノブ位置差から再生位置加算時間を算出する。算出方法は、図２３のようにフォーカスノブ位置差に比例するように再生位置加算時間が算出され、再生位置加算時間は至近方向に操作されると負の値となり、無限方向に操作されると正の値となる。そして、Ｓ１００８でカメラ装置から受信した再生位置を取得し、Ｓ１００９で再生位置に再生位置加算時間を加えた値をあらたに再生位置指令として設定する。
【００６９】
Ｓ１００２でフォーカスノブが操作されていないと判断された場合には、フォーカスノブ再生情報生成処理を終了する。
【００７０】
次に、本実施例におけるＳ１０８の再生操作設定変更処理について説明する。図２４は本実施例における再生操作設定変更処理を示すフローチャートである。はじめに、Ｓ８１１でズームデマンド、フォーカスデマンドが接続されているか否かを取得し、デマンドの接続状態を決定する。そしてＳ８１２で、デマンドの接続状態に応じて、ＥＥＰＲＯＭ２８のどの記憶領域を変更するかを決定する。Ｓ８０１〜Ｓ８１０、及びＳ８２３〜Ｓ８３０では、操作部材ごとに操作されているかどうかを判断し、操作されていれば、Ｓ８２２で決定した記憶領域をもとに、デマンド接続状態と操作部材に応じた再生操作設定を変更する。
【００７１】
以上のように、ズームレンズ装置１は、デマンド接続状態に応じて、カメラ動作モード指令、再生速度指令、再生位置指令、デジタルズーム倍率指令を生成し、カメラ装置へ送信する。
【００７２】
カメラＣＰＵ３７におけるソフトウェア処理は、実施例１と同様であるため、説明は省略する。
【００７３】
デマンドを使用しない肩担ぎでの撮影スタイルと、デマンドを使用する三脚での撮影スタイルでは、操作しやすい操作部材や操作可能な操作部材が異なり、撮影スタイルに応じて、操作部材に対応する再生操作設定を変更したい場合がある。実施例１では、撮影スタイルが変わるたびに手動で再生操作設定を変更しなければならない。しかし、本実施例を適用すれば、デマンドの接続状態に応じて、各操作部材に対する再生操作を自動で切り替えることができるため、ユーザの手間を省くことができる。
【００７４】
また、接続されたデマンドがズームデマンドであるか、端ありのズームデマンドか、端なしのフォーカスデマンドかによって、処理を切り分けることができるので、接続したデマンドにあった再生操作が実現できる。
【００７５】
［実施例３］
図１は、本発明を適用できる実施例３のレンズカメラシステムの構成を示したものである。
【００７６】
構成はすべて実施例１と同じであるため、説明は省略する。
【００７７】
本実施例におけるレンズＣＰＵ２６のソフトウェア処理について説明する。図２５は、本実施例におけるレンズＣＰＵ処理のフローチャートを示したものである。ここでは、Ｓ１２１のリプレイ再生情報生成処理が追加されている。また、Ｓ１０２で行うカメラからの受信処理において、あらたにカメラ装置２が映像記録中であるか否かを判断できるデータも受信する。
【００７８】
次に、Ｓ１２１のリプレイ再生情報生成処理について詳細に説明する。図２６は、リプレイ再生情報生成処理のフローチャートを示したものである。はじめに、Ｓ１１０１で、Ｓ１０２で受信したデータから、カメラ装置２が映像記録中であるかを判断し、映像記録中である場合にはＳ１１０２に進み、映像記録中でない場合にはリプレイ再生情報生成処理を終了する。Ｓ１１０２では、リプレイ再生中かどうかを示すリプレイフラグがＯＮとなっているかを判断し、リプレイフラグがＯＮの場合にはＳ１１０３に進む。なお、リプレイフラグの初期値はＯＦＦとする。Ｓ１１０３では、プッシュスイッチ１８が押下されているかどうかを判断し、押下されている場合にはＳ１１０４に進み、押下されていない場合にはリプレイ再生情報生成処理を終了する。Ｓ１１０４では、カメラ装置２から取得した再生位置を取得し、一時的に記憶しておく。Ｓ１１０５〜Ｓ１１０８では、再生位置指令をＳ１１０４で取得した再生位置から１０秒引いた値に、再生速度指令を１倍速に、デジタルズーム倍率を１倍に、カメラ動作モード指令を「再生モード」に設定する。そして、Ｓ１１０９でリプレイフラグをＯＮとし、リプレイ再生情報生成処理を終了する。
【００７９】
一方、Ｓ１１０２でリプレイフラグがＯＮであった場合には、Ｓ１１１０に進み、カメラ装置２から受信した再生位置を取得する。そして、Ｓ１１１１で取得した再生位置がＳ１１０４で記憶しておいた再生位置と比較し、一致した場合にはＳ１１１２、Ｓ１１１３に進み、カメラ動作モード指令を「撮影モード」に設定し、リプレイフラグをＯＦＦにする。
【００８０】
なお、本実施例では、リプレイ機能を操作するためのスイッチとしてプッシュスイッチ１８を割り振っているため、レンズ駆動処理におけるＳ２０６のズーム位置制御信号出力は行わないようにする。
【００８１】
上記のように、レンズＣＰＵ内で処理を行うことにより、ユーザが映像記録中にプッシュスイッチ１８を押下すると、１０秒前に撮影された映像が再生表示され、１０秒後には再び現在撮影している映像が表示されるようになる。ユーザが直前に撮影した映像を見返す場合に、非常に簡単な操作で操作することができるようになる。
【００８２】
以上、本発明の好ましい実施形態について説明したが、本発明はこれらの実施形態に限定されず、その要旨の範囲内で種々の変形及び変更が可能である。
【符号の説明】
【００８３】
１  ズームレンズ装置
２  カメラ装置
１１  フォーカスレンズ群
１２  ズームレンズ群
１３  フォーカスリング
１４  ズームリング
１５  ズームシーソ
１６〜１９  プッシュスイッチ
２６  レンズＣＰＵ
２７  レンズ通信回路
２８  ＥＥＰＲＯＭ
４４  映像記録部
４５  映像再生部
４６  カメラ通信回路
４７  カメラＣＰＵ
【図１】
2013162428.tif 000003
【図２】
2013162428.tif 000004
【図３】
2013162428.tif 000005
【図４】
2013162428.tif 000006
【図５】
2013162428.tif 000007
【図６】
2013162428.tif 000008
【図７】
2013162428.tif 000009
【図８】
2013162428.tif 000010
【図９】
2013162428.tif 000011
【図１０】
2013162428.tif 000012
【図１１】
2013162428.tif 000013
【図１２】
2013162428.tif 000014
【図１３】
2013162428.tif 000015
【図１４】
2013162428.tif 000016
【図１５】
2013162428.tif 000017
【図１６】
2013162428.tif 000018
【図１７】
2013162428.tif 000019
【図１８】
2013162428.tif 000020
【図１９】
2013162428.tif 000021
【図２０】
2013162428.tif 000022
【図２１】
2013162428.tif 000023
【図２２】
2013162428.tif 000024
【図２３】
2013162428.tif 000025
【図２４】
2013162428.tif 000026
【図２５】
2013162428.tif 000027
【図２６】
2013162428.tif 000028